【手続補正書】
【提出日】平成22年3月17日(2010.3.17)
【手続補正１】
【補正対象書類名】明細書
【補正対象項目名】００３２
【補正方法】変更
【補正の内容】
【００３２】
（上り回線）
図１３は、本発明の第二の実施の形態におけるＲ−ＲＥＱＣＨの電力制御アルゴリズムを説明する図である。
図１４は、本発明の第二の実施の形態におけるＲ−ＲＥＱＣＨの電力制御アルゴリズムに対応するＡＴの動作のフローチャートである。
図１５は、本発明の第二の実施の形態におけるＲ−ＲＥＱＣＨの電力制御アルゴリズムに対応する電力変化を説明する図である。
以下、図１３・図１４・図１５を用いて、Ｒ−ＲＥＱＣＨの電力制御アルゴリズムを示す。
上り回線制御において、無線端末（ＡＴ）はアンテナ２０１、ＲＦ部２０２を通して制御Ｃｈ復調部２０５で複数の基地局から上り受信電力の強度情報を受け取りデータ通信が開始され（１４０１）、受信電力が最も大きい基地局（ＢＴＳ１）を上り回線の通信先基地局（ＢＴＳ１）として指定する（１４０２）。この場合、最後に通信した基地局から通信先基地局の変更がないので（１１０３）、制御Ｃｈ変調部２０４は、周期的に送信しているＲ−ＲＥＱＣＨに対し、指定した通信先基地局のＩＤを変調暗号鍵の一部に付与して送信することで基地局に通信先を通知する（１３０１、１４０４）。このときのＲ−ＲＥＱＣＨの送信電力（ＲＥＱＣＨの送信電力）は、制御Ｃｈ変調部２０４で（数９）式のように設定し（１３１１、１４０５）、ＲＦ部２０２、アンテナ２０１を通して送信する（１４０６）。
【手続補正２】
【補正対象書類名】明細書
【補正対象項目名】００３４
【補正方法】変更
【補正の内容】
【００３４】
基地局（ＢＴＳ１）は、アンテナ３０１、ＲＦ部３０２を通してＲ−ＲＥＱＣＨを受信し、制御Ｃｈ復調部３０５で自局のＩＤを暗号鍵に用いて復調に成功することで、通信先基地局として指定されたことを認識する。そしてその無線端末（ＡＴ）との通信が可能であればスケジューラ３０９から制御Ｃｈ変調部３０４、ＲＦ部３０２、アンテナ３０１を通してＲＬＡＢを送信する（１３０２）。
無線端末（ＡＴ）は、制御Ｃｈ復調部２０５で受け取った情報の結果（１４０２）、上り受信電力の最も大きい基地局がＢＴＳ１からＢＴＳ２に変わると、通信先基地局の指定をＢＴＳ２に変更する（１４０３）。この場合、最後に通信した基地局から通信先基地局の変更があったので（１１０３）、制御Ｃｈ変調部２０４は、周期的に送信しているＲ−ＲＥＱＣＨに対し、指定する通信先基地局のＩＤをＢＴＳ２に変更し変調暗号鍵の一部に付与して送信することで、基地局に通信先を通知（ハンドオフ要求）する（１３０３、１３０４、１４０７）。このときのＲ−ＲＥＱＣＨの送信電力（ＲＥＱＣＨの送信電力）は、制御Ｃｈ変調部２０４で（数１０）式のように一定量増加させ（１３１２、１４０８）、ＲＦ部２０２、アンテナ２０１を通して送信する（１４０９）。
【手続補正３】
【補正対象書類名】明細書
【補正対象項目名】００３６
【補正方法】変更
【補正の内容】
【００３６】
基地局（ＢＴＳ１）は、アンテナ３０１、ＲＦ部３０２を通してＲ−ＲＥＱＣＨ（１３０３）を受信し、制御Ｃｈ復調部３０５で自局のＩＤを暗号鍵に用いて復調を試みるが、暗号鍵が一致せず復調に失敗し、ＲＬＡＢおよびデータの送信を行わない。Ｒ−ＲＥＱＣＨ（１３０４）は、基地局（ＢＴＳ２）でも受信可能であるが、送信電力が足りないと、基地局に信号が届かない、または復調に失敗することがある。その場合には基地局（ＢＴＳ２）ではＲ−ＲＥＱＣＨを受け取れないため、Ｒ−ＲＥＱＣＨのＡＣＫおよびデータの送信を行わない。
次に無線端末（ＡＴ）では、送信したＲ−ＲＥＱＣＨに対して指定した通信先基地局からＲ−ＲＥＱＣＨのＡＣＫの応答がないため（１４１０）、Ｒ−ＲＥＱＣＨの再送を行う（１３０５、１３０６、１４０７、１４０９）。このときのＲ−ＲＥＱＣＨの送信電力は、引き続き（数１０）式のように一定量増加させる（１３１３、１４０８）。
基地局（ＢＴＳ１）は、アンテナ３０１、ＲＦ部３０２を通してＲ−ＲＥＱＣＨ（１３０５）を受信し、制御Ｃｈ復調部３０５で自局のＩＤを暗号鍵に用いて復調を試みるが、暗号鍵が一致せず復調に失敗し、Ｒ−ＲＥＱＣＨのＡＣＫまたはＲＬＡＢ、および、データの送信を行わない。基地局（ＢＴＳ２）は、アンテナ３０１、ＲＦ部３０２を通してＲ−ＲＥＱＣＨ（１３０６）を受信し、制御Ｃｈ復調部３０５で自局のＩＤを暗号鍵に用いて復調に成功することで、通信先基地局として指定されたことを認識する。そしてその無線端末（ＡＴ）との通信が可能であれば、Ｒ−ＲＥＱＣＨのＡＣＫ（１３０７）を送信する。ハンドオフ処理を実行・完了後に、スケジューラ３０９から制御Ｃｈ変調部３０４、ＲＦ部３０２、アンテナ３０１を通してＲＬＡＢを送信する（１３０９）。
無線端末（ＡＴ）は指定した通信先基地局（ＢＴＳ２）からＲ−ＲＥＱＣＨのＡＣＫ（１３０７）を受信すると（１４１０）、制御Ｃｈ変調部２０４は、ハンドオフ要求を含むＲ−ＲＥＱＣＨの送信が成功したと判断し、次のＲ−ＲＥＱＣＨ送信周期で（１４０２、１４０３）、通信先基地局をＢＴＳ２に指定した（１４０４）Ｒ−ＲＥＱＣＨの送信電力を（数９）式に戻し（１３１４、１４０５）、ＲＦ部２０２、アンテナ２０１を通して送信する（１３０９、１４０６）。
【手続補正４】
【補正対象書類名】明細書
【補正対象項目名】００３７
【補正方法】変更
【補正の内容】
【００３７】
（３）第三の実施の形態
無線通信システムを含むネットワーク全体の構成、無線端末（ＡＴ）の構成、および基地局の構成については、第一の実施の形態と同様とする。
（下り回線）
図１６は、本発明の第三の実施の形態におけるＲ−ＣＱＩＣＨの電力制御アルゴリズムを説明する図である。
図１７は、本発明の第三の実施の形態におけるＲ−ＣＱＩＣＨの電力制御アルゴリズムに対応するＡＴの動作のフローチャートである。
図１８は、本発明の第三の実施の形態におけるＲ−ＣＱＩＣＨの電力制御アルゴリズムに対応する電力変化を説明する図である。
以下、図１６・図１７・図１８を用いて、Ｒ−ＣＱＩＣＨの電力制御アルゴリズムを示す。
下り回線において、無線端末（ＡＴ）はアンテナ２０１、ＲＦ部２０２を通して複数の基地局からのＣｏｎｔｒｏｌＣｈａｎｎｅｌを受信し、データ通信が開始される（１７０１）。制御Ｃｈ復調部２０５は、受信電力を測定し、受信電力が最も大きい基地局（ＢＴＳ１）を下り回線の通信先基地局（ＢＴＳ１）として指定する（１７０２）。この場合、最後に通信した基地局から通信先基地局の変更がないので（１７０３）、制御Ｃｈ変調部２０４は、周期的に送信しているＲ−ＣＱＩＣＨに対し、指定した通信先基地局のＩＤを変調暗号鍵の一部に付与して送信することで基地局に通信先を通知する（１６０１、１７０４）。このときのＲ−ＣＱＩＣＨの送信電力（ＣＱＩＣＨの送信電力）は、制御Ｃｈ変調部２０４で（数１１）式のように設定し（１６２１、１７０５）、初期設定の送信周期で（１７０６）、ＲＦ部２０２、アンテナ２０１を通して送信する（１７０７）。
【手続補正５】
【補正対象書類名】明細書
【補正対象項目名】００４２
【補正方法】変更
【補正の内容】
【００４２】
ＣＱＩＣＨの送信周期＝前送信周期×ｎ    （ｎは予め定められた定数、０＜ｎ≦１）
・・（数１３）
つぎに、制御Ｃｈ変調部２０４は、ＲＦ部２０２、アンテナ２０１を通して送信する（１７１１）。
基地局（ＢＴＳ１）は、アンテナ３０１、ＲＦ部３０２を通してＲ−ＣＱＩＣＨ（１６０３）を受信し、制御Ｃｈ復調部３０５で自局のＩＤを暗号鍵に用いて復調を試みるが、暗号鍵が一致せず復調に失敗し、ＦＬＡＢおよびデータの送信を行わない。Ｒ−ＣＱＩＣＨ（１６０４）は、基地局（ＢＴＳ２）でも受信可能であるが、送信電力が足りないと、基地局に信号が届かない、または復調に失敗することがある。その場合には基地局（ＢＴＳ２）ではＲ−ＣＱＩＣＨを受け取れないため、Ｒ−ＣＱＩＣＨのＡＣＫまたはＦＬＡＢ、および、データの送信を行わない。
次に無線端末（ＡＴ）では、送信したＲ−ＣＱＩＣＨに対して指定した通信先基地局からＲ−ＣＱＩＣＨのＡＣＫまたはＦＬＡＢの応答がないため（１７１２）、Ｒ−ＣＱＩＣＨのＡＣＫまたはＦＬＡＢの応答がくるまでＲ−ＣＱＩＣＨの再送を行う（１６０５、１６０６、１６０７、１６０８、１７０８−１７１１）。このときのＲ−ＣＱＩＣＨの送信電力、および送信周期は、引き続き（数１２）式（数１３）式のように一定量増加、および短縮させる（１６２２、１７０９、１７１０）。
基地局（ＢＴＳ１）は、アンテナ３０１、ＲＦ部３０２を通してＲ−ＣＱＩＣＨ（１６０５、１６０７）を受信し、制御Ｃｈ復調部３０５で自局のＩＤを暗号鍵に用いて復調を試みるが、暗号鍵が一致せず復調に失敗し、ＦＬＡＢおよびデータの送信を行わない。基地局（ＢＴＳ２）は、アンテナ３０１、ＲＦ部３０２を通してＲ−ＣＱＩＣＨ（１６０６、１６０８）を受信し、制御Ｃｈ復調部３０５で自局のＩＤを暗号鍵に用いて復調に成功することで、通信先基地局として指定されたことを認識する。そしてその無線端末（ＡＴ）との通信が可能であれば、Ｒ−ＣＱＩＣＨのＡＣＫ（１６０９）を送信する。ハンドオフ処理を実行・完了後に、スケジューラ３０９から制御Ｃｈ変調部３０４、ＲＦ部３０２、アンテナ３０１を通してＦＬＡＢを送信する（１６１０）。
無線端末（ＡＴ）は指定した通信先基地局（ＢＴＳ２）からＲ−ＣＱＩＣＨのＡＣＫ（１６０９）を受信、あるいはＦＬＡＢ（１６１０）を受信すると（１７１２）、制御Ｃｈ変調部２０４は、Ｒ−ＣＱＩＣＨの送信が成功したと判断し、通信先基地局をＢＴＳ２に指定したＲ−ＣＱＩＣＨ（１７０４）の送信電力を（数１１）式に戻し（１６２３、１７０５）、送信周期を初期値に戻して（１７０６）送信する（１６１１、１７０７）。
【手続補正６】
【補正対象書類名】明細書
【補正対象項目名】００４３
【補正方法】変更
【補正の内容】
【００４３】
（上り回線）
図１９は、本発明の第三の実施の形態におけるＲ−ＲＥＱＣＨの電力制御アルゴリズムを説明する図である。
図２０は、本発明の第三の実施の形態におけるＲ−ＲＥＱＣＨの電力制御アルゴリズムに対応するＡＴの動作のフローチャートである。
図２１は、本発明の第三の実施の形態におけるＲ−ＲＥＱＣＨの電力制御アルゴリズムに対応する電力変化を説明する図である。
以下、図１９・図２０・図２１を用いて、Ｒ−ＲＥＱＣＨの電力制御アルゴリズムを示す。
上り回線制御において、無線端末（ＡＴ）はアンテナ２０１、ＲＦ部２０２を通して制御Ｃｈ復調部２０５で複数の基地局から上り受信電力の強度情報を受け取りデータ通信が開始され（２００１）、受信電力が最も大きい基地局（ＢＴＳ１）を上り回線の通信先基地局（ＢＴＳ１）として指定する（２００２）。この場合、最後に通信した基地局から通信先基地局の変更がないので（２００３）、制御Ｃｈ変調部２０４は、周期的に送信しているＲ−ＲＥＱＣＨに対し、指定した通信先基地局のＩＤを変調暗号鍵の一部に付与して送信することで基地局に通信先を通知する（１９０１、２００４）。このときのＲ−ＲＥＱＣＨの送信電力（ＲＥＱＣＨの送信電力）は、制御Ｃｈ変調部２０４で（数１４）式のように設定し（１９２１、２００５）、初期設定の送信周期で（２００６）、ＲＦ部２０２、アンテナ２０１を通して送信する（２００７）。
【手続補正７】
【補正対象書類名】明細書
【補正対象項目名】００４５
【補正方法】変更
【補正の内容】
【００４５】
基地局（ＢＴＳ１）は、アンテナ３０１、ＲＦ部３０２を通してＲ−ＲＥＱＣＨを受信し、制御Ｃｈ復調部３０５で自局のＩＤを暗号鍵に用いて復調に成功することで、通信先基地局として指定されたことを認識する。そしてその無線端末（ＡＴ）との通信が可能であればスケジューラ３０９から制御Ｃｈ変調部３０４、ＲＦ部３０２、アンテナ３０１を通してＲＬＡＢを送信する（１９０２）。
無線端末（ＡＴ）は、制御Ｃｈ復調部２０５で受け取った情報の結果（２００２）、上り受信電力の最も大きい基地局がＢＴＳ１からＢＴＳ２に変わると、通信先基地局の指定をＢＴＳ２に変更する（２００３）。この場合、最後に通信した基地局から通信先基地局の変更があったので（２００３）、制御Ｃｈ変調部２０４は、周期的に送信しているＲ−ＲＥＱＣＨに対し、指定する通信先基地局のＩＤをＢＴＳ２に変更し、変調暗号鍵の一部に付与して送信することで基地局に通信先を通知（ハンドオフ要求）する（１９０３、１９０４、２００８）。このときのＲ−ＲＥＱＣＨの送信電力（ＲＥＱＣＨの送信電力）は、制御Ｃｈ変調部２０４で（数１５）式のように一定量増加させる（１９２２、２００９）。
【手続補正８】
【補正対象書類名】明細書
【補正対象項目名】００４７
【補正方法】変更
【補正の内容】
【００４７】
また、制御Ｃｈ変調部２０４は、ＲＦ部２０２、アンテナ２０１を通して送信する（２０１１）。
このときのＲ−ＲＥＱＣＨの送信周期を（数１６）式のように短縮して設定する（２０１０）。
【手続補正９】
【補正対象書類名】明細書
【補正対象項目名】００４９
【補正方法】変更
【補正の内容】
【００４９】
つぎに、制御Ｃｈ変調部２０４は、ＲＦ部２０２、アンテナ２０１を通して送信する（２０１１）。
基地局（ＢＴＳ１）は、アンテナ３０１、ＲＦ部３０２を通してＲ−ＲＥＱＣＨ（１９０３）を受信し、制御Ｃｈ復調部３０５で自局のＩＤを暗号鍵に用いて復調を試みるが、暗号鍵が一致せず復調に失敗し、ＲＬＡＢおよびデータの送信を行わない。Ｒ−ＲＥＱＣＨ（１９０４）は、基地局（ＢＴＳ２）でも受信可能であるが、送信電力が足りないと、基地局に信号が届かない、または復調に失敗することがある。その場合には基地局（ＢＴＳ２）ではＲ−ＲＥＱＣＨを受け取れないため、Ｒ−ＲＥＱＣＨのＡＣＫまたはＲＬＡＢ、および、データの送信を行わない。
次に無線端末（ＡＴ）では、送信したＲ−ＲＥＱＣＨに対して指定した通信先基地局からＲ−ＲＥＱＣＨのＡＣＫまたはＲＬＡＢの応答がないため（２０１２）、Ｒ−ＲＥＱＣＨのＡＣＫまたはＲＬＡＢの応答がくるまで、Ｒ−ＲＥＱＣＨの再送を行う（１９０５、１９０６、１９０７、１９０８、２００８−２０１１）。このときのＲ−ＲＥＱＣＨの送信電力、および送信周期は、それぞれ、引き続き（数１５）式、（数１６）式のように一定量増加、および短縮させる（１９２２、２００９、２０１０）。
基地局（ＢＴＳ１）は、アンテナ３０１、ＲＦ部３０２を通してＲ−ＲＥＱＣＨ（１９０５、１９０７）を受信し、制御Ｃｈ復調部３０５で自局のＩＤを暗号鍵に用いて復調を試みるが、暗号鍵が一致せず復調に失敗し、ＲＬＡＢおよびデータの送信を行わない。基地局（ＢＴＳ２）は、アンテナ３０１、ＲＦ部３０２を通してＲ−ＲＥＱＣＨ（１９０８）を受信し、制御Ｃｈ復調部３０５で自局のＩＤを暗号鍵に用いて復調に成功することで、通信先基地局として指定されたことを認識する。そしてその無線端末（ＡＴ）との通信が可能であれば、Ｒ−ＲＥＱＣＨのＡＣＫ（１９０９）を送信する。ハンドオフ処理を実行・完了後に、スケジューラ３０９から制御Ｃｈ変調部３０４、ＲＦ部３０２、アンテナ３０１を通してＲＬＡＢを送信する（１９１０）。
無線端末（ＡＴ）は指定した通信先基地局（ＢＴＳ２）からＲ−ＲＥＱＣＨのＡＣＫ（１９０９）を受信、あるいはＲＬＡＢ（１９１０）を受信すると（２０１２）、制御Ｃｈ変調部２０４は、ハンドオフ要求を含むＲ−ＲＥＱＣＨの送信が成功したと判断し、通信先基地局をＢＴＳ２に指定したＲ−ＲＥＱＣＨの送信電力を（数１４）式に戻し（１９２３、２００５）、送信周期を初期値に戻し（２００６）、アンテナ２０１、ＲＦ部２０２を通して送信する（１９１１、２００７）。
なお、この例の他、前回の送信周期より今回の通信周期を、予め定められた値だけ適宜短縮してもよい。又は、例えば、次式のように、送信周期を送信回数に応じて短縮してもよい。
【手続補正１０】
【補正対象書類名】明細書
【補正対象項目名】００５０
【補正方法】変更
【補正の内容】
【００５０】
ＲＥＱＣＨの送信周期＝初期値／送信回数
【手続補正１１】
【補正対象書類名】明細書
【補正対象項目名】００５１
【補正方法】変更
【補正の内容】
【００５１】
（４）第四の実施の形態
無線通信システムを含むネットワーク全体の構成、無線端末（ＡＴ）の構成、および基地局の構成については、第一の実施の形態と同様とする。
（下り回線）
図２２は、本発明の第四の実施の形態におけるＲ−ＣＱＩＣＨの電力制御アルゴリズムを説明する図である。
図２３は、本発明の第四の実施の形態におけるＲ−ＣＱＩＣＨの電力制御アルゴリズムに対応するＡＴの動作のフローチャートである。
図２４は、本発明の第四の実施の形態におけるＲ−ＣＱＩＣＨの電力制御アルゴリズムに対応する電力変化を説明する図である。
以下、図２２・図２３・図２４を用いて、Ｒ−ＣＱＩＣＨの電力制御アルゴリズムを示す。
下り回線において、無線端末（ＡＴ）はアンテナ２０１、ＲＦ部２０２を通して複数の基地局からのＣｏｎｔｒｏｌＣｈａｎｎｅｌを受信し、データ通信が開始される（２３０１）。制御Ｃｈ復調部２０５は、受信電力を測定し、受信電力が最も大きい基地局（ＢＴＳ１）を下り回線の通信先基地局（ＢＴＳ１）として指定する（２３０２）。この場合、最後に通信した基地局から通信先基地局の変更がないので（２３０３）、制御Ｃｈ変調部２０４は、周期的に送信しているＲ−ＣＱＩＣＨに対し、指定した通信先基地局のＩＤを変調暗号鍵の一部に付与して送信することで基地局に通信先を通知する（２２０１、２３０４）。このときのＲ−ＣＱＩＣＨの送信電力（ＣＱＩＣＨの送信電力）は、制御Ｃｈ変調部２０４で（数１７）式のように設定し（２２２１、２３０５）、ＲＦ部２０２、アンテナ２０１を通して送信する（２３０６）。
【手続補正１２】
【補正対象書類名】明細書
【補正対象項目名】００５３
【補正方法】変更
【補正の内容】
【００５３】
基地局（ＢＴＳ１）は、アンテナ３０１、ＲＦ部３０２を通してＲ−ＣＱＩＣＨを受信し、制御Ｃｈ復調部３０５で自局のＩＤを暗号鍵に用いて復調に成功することで、通信先基地局として指定されたことを認識する。そしてその無線端末（ＡＴ）との通信が可能であればスケジューラ３０９から制御Ｃｈ変調部３０４、ＲＦ部３０２、アンテナ３０１を通してＦＬＡＢを送信する（２２０２）。
無線端末（ＡＴ）は、制御Ｃｈ復調部２０５で測定した結果（２３０２）、下り受信電力の最も大きい基地局がＢＴＳ１からＢＴＳ２に変わると、通信先基地局の指定をＢＴＳ２に変更する（２３０３）。この場合、最後に通信した基地局から通信先基地局の変更があったので（２３０３）、周期的に送信しているＲ−ＣＱＩＣＨに対し、制御Ｃｈ変調部２０４は、指定する通信先基地局のＩＤをＢＴＳ２に変更して変調暗号鍵の一部に付与して送信することで、基地局に通信先を通知（ハンドオフ要求）する（２２０３、２２０４、２３０７）。このときのＲ−ＣＱＩＣＨの送信電力（ＣＱＩＣＨの送信電力）は、制御Ｃｈ変調部２０４で、例えば、（数１８）式のように、ハンドオフ要求からの送信回数、または時間の経過に応じて増加させ（２２２２、２３０８、２３０９）、ＲＦ部２０２、データチャネル（Ｃｈ）変調部２０３を通して送信する（２３１０）。
【手続補正１３】
【補正対象書類名】明細書
【補正対象項目名】００５５
【補正方法】変更
【補正の内容】
【００５５】
基地局（ＢＴＳ１）は、３０１、ＲＦ部３０２を通してＲ−ＣＱＩＣＨ（２２０３）を受信し、制御Ｃｈ復調部３０５で自局のＩＤを暗号鍵に用いて復調を試みるが、暗号鍵が一致せず復調に失敗し、ＦＬＡＢおよびデータの送信を行わない。Ｒ−ＣＱＩＣＨ（２２０４）は、基地局（ＢＴＳ２）でも受信可能であるが、送信電力が足りないと、基地局に信号が届かない、または復調に失敗することがある。その場合には基地局（ＢＴＳ２）ではＲ−ＣＱＩＣＨを受け取れないため、Ｒ−ＣＱＩＣＨのＡＣＫまたはＦＬＡＢ、および、データの送信を行わない。
次に無線端末（ＡＴ）では、送信したＲ−ＣＱＩＣＨに対して指定した通信先基地局からＲ−ＣＱＩＣＨのＡＣＫまたはＦＬＡＢの応答がないため（２３１１）、Ｒ−ＣＱＩＣＨのＡＣＫまたはＦＬＡＢの応答がくるまでＲ−ＣＱＩＣＨの再送を行う（２２０５、２２０６、２２０７、２２０８、２３０７−２３１０）。このときのＲ−ＣＱＩＣＨの送信電力は、引き続き（数１８）式のようにハンドオフ要求からの送信回数、または時間の経過に応じて増加させる  （２２２３、２２２４、２３０８、２３０９）。
基地局（ＢＴＳ１）は、アンテナ３０１、ＲＦ部３０２を通してＲ−ＣＱＩＣＨ（２２０５、２２０７）を受信し、制御Ｃｈ復調部３０５で自局のＩＤを暗号鍵に用いて復調を試みるが、暗号鍵が一致せず復調に失敗し、ＦＬＡＢおよびデータの送信を行わない。基地局（ＢＴＳ２）は、アンテナ３０１、ＲＦ部３０２を通してＲ−ＣＱＩＣＨ（２２０６、２２０８）を受信し、制御Ｃｈ復調部３０５で自局のＩＤを暗号鍵に用いて復調に成功することで、通信先基地局として指定されたことを認識する。そしてその無線端末（ＡＴ）との通信が可能であれば、Ｒ−ＣＱＩＣＨのＡＣＫ（２２０９）を送信する。ハンドオフ処理を実行・完了後に、スケジューラ３０９から制御Ｃｈ変調部３０４、ＲＦ部３０２、アンテナ３０１を通してＦＬＡＢを送信する（２２１０）。
無線端末（ＡＴ）は指定した通信先基地局（ＢＴＳ２）からＲ−ＣＱＩＣＨのＡＣＫ（２２０９）を受信、あるいはＦＬＡＢ（２２１０）を受信すると（２３１１）、制御Ｃｈ変調部２０４は、Ｒ−ＣＱＩＣＨの送信が成功したと判断し、次のＲ−ＣＱＩＣＨ送信周期で（２３０２、２３０３）、通信先基地局をＢＴＳ２に指定したＲ−ＣＱＩＣＨ（２３０４）の送信電力を（数１７）式に戻し（２２２５、２３０５）、アンテナ２０１、ＲＦ部２０２を通して送信する（２２１１、２３０６）。また、次のハンドオフのために、送信回数、または時間経過に対応する変数を初期値に戻す（２３１２）。
【手続補正１４】
【補正対象書類名】明細書
【補正対象項目名】００５６
【補正方法】変更
【補正の内容】
【００５６】
（上り回線）
図２５は、本発明の第四の実施の形態におけるＲ−ＲＥＱＣＨの電力制御アルゴリズムを説明する図である。
図２６は、本発明の第四の実施の形態におけるＲ−ＲＥＱＣＨの電力制御アルゴリズムに対応するＡＴの動作のフローチャートである。
図２７は、本発明の第四の実施の形態におけるＲ−ＲＥＱＣＨの電力制御アルゴリズムに対応する電力変化を説明する図である。
以下、図２５・図２６・図２７に、Ｒ−ＲＥＱＣＨの電力制御アルゴリズムを示す。
上り回線制御において、無線端末（ＡＴ）はアンテナ２０１、ＲＦ部２０２を通して複数の基地局から上り受信電力の強度情報を受け取りデータ通信が開始され（２６０１）、受信電力が最も大きい基地局（ＢＴＳ１）を上り回線の通信先基地局（ＢＴＳ１）として指定する（２６０２）。この場合、最後に通信した基地局から通信先基地局の変更がないので（２６０３）、制御Ｃｈ変調部２０４は、周期的に送信しているＲ−ＲＥＱＣＨに対し、指定した通信先基地局のＩＤを変調暗号鍵の一部に付与して送信することで基地局に通信先を通知する（２５０１、２６０４）。このときのＲ−ＲＥＱＣＨの送信電力（ＲＥＱＣＨの送信電力）は、制御Ｃｈ変調部２０４で（数１９）式のように設定し（２５２１、２６０５）、ＲＦ部２０２、アンテナ２０１を通して送信する（２６０６）。
【手続補正１５】
【補正対象書類名】明細書
【補正対象項目名】００５８
【補正方法】変更
【補正の内容】
【００５８】
基地局（ＢＴＳ１）は、アンテナ３０１、ＲＦ部３０２を通してＲ−ＲＥＱＣＨを受信し、制御Ｃｈ復調部３０５で自局のＩＤを暗号鍵に用いて復調に成功することで、通信先基地局として指定されたことを認識する。そしてその無線端末（ＡＴ）との通信が可能であればスケジューラ３０９から制御Ｃｈ変調部３０４、ＲＦ部３０２、アンテナ３０１を通してＲＬＡＢを送信する（２５０２）。
無線端末（ＡＴ）は、制御Ｃｈ復調部２０５で受け取った情報の結果（２６０２）、上り受信電力の最も大きい基地局がＢＴＳ１からＢＴＳ２に変わると、通信先基地局の指定をＢＴＳ２に変更する（２６０３）。この場合、最後に通信した基地局から通信先基地局の変更があったので（２６０３）、制御Ｃｈ変調部２０４は、周期的に送信しているＲ−ＲＥＱＣＨに対し、指定する通信先基地局のＩＤをＢＴＳ２に変更し変調暗号鍵の一部に付与して送信することで基地局に通信先を通知（ハンドオフ要求）する（２５０３、２５０４、２６０７）。このときのＲ−ＲＥＱＣＨの送信電力（ＲＥＱＣＨの送信電力）は、制御Ｃｈ変調部２０４で、例えば、（数２０）式のように、ハンドオフ要求からの送信回数、または時間の経過に応じて増加させ（２５２２、２６０８、２６０９）、ＲＦ部２０２、アンテナ２０１を通して送信する（２６１０）。
【手続補正１６】
【補正対象書類名】明細書
【補正対象項目名】００６０
【補正方法】変更
【補正の内容】
【００６０】
基地局（ＢＴＳ１）は、アンテナ３０１、ＲＦ部３０２を通してＲ−ＲＥＱＣＨ（２５０３）を受信し、制御Ｃｈ復調部３０５で自局のＩＤを暗号鍵に用いて復調を試みるが、暗号鍵が一致せず復調に失敗し、ＲＬＡＢおよびデータの送信を行わない。Ｒ−ＲＥＱＣＨ（２５０４）は、基地局（ＢＴＳ２）でも受信可能であるが、送信電力が足りないと、基地局に信号が届かない、または復調に失敗することがある。その場合には基地局（ＢＴＳ２）ではＲ−ＲＥＱＣＨを受け取れないため、Ｒ−ＲＥＱＣＨのＡＣＫ、ＲＬＡＢおよびデータの送信を行わない。
次に無線端末（ＡＴ）では、送信したＲ−ＲＥＱＣＨに対して指定した通信先基地局からＲ−ＲＥＱＣＨのＡＣＫまたはＲＬＡＢの応答がないため（２６１１）、Ｒ−ＲＥＱＣＨのＡＣＫまたはＲＬＡＢの応答がくるまで、Ｒ−ＲＥＱＣＨの再送を行う（２５０５、２５０６、２５０７、２５０８、２６０７、２６１０）。このときのＲ−ＲＥＱＣＨの送信電力は、引き続き（数２０）式のようにハンドオフ要求からの送信回数、または時間の経過に応じて増加させる（２５２３、２５２４、２６０８、２６０９）。
基地局（ＢＴＳ１）は、アンテナ３０１、ＲＦ部３０２を通してＲ−ＲＥＱＣＨ（２５０５、２５０７）を受信し、制御Ｃｈ復調部３０５で自局のＩＤを暗号鍵に用いて復調を試みるが、暗号鍵が一致せず復調に失敗し、ＲＬＡＢおよびデータの送信を行わない。基地局（ＢＴＳ２）は、アンテナ３０１、ＲＦ部３０２を通してＲ−ＲＥＱＣＨ（２５０６、２５０８）を受信し、制御Ｃｈ復調部３０５で自局のＩＤを暗号鍵に用いて復調に成功することで、通信先基地局として指定されたことを認識する。そしてその無線端末（ＡＴ）との通信が可能であれば、Ｒ−ＲＥＱＣＨのＡＣＫ（２５０９）を送信する。ハンドオフ処理を実行・完了後に、スケジューラ３０９から制御Ｃｈ変調部３０４、ＲＦ部３０２、アンテナ３０１を通してＲＬＡＢを送信する（２５１０）。
無線端末（ＡＴ）は指定した通信先基地局（ＢＴＳ２）からＲ−ＲＥＱＣＨのＡＣＫ（２５０９）を受信、あるいはＲＬＡＢ（２５１０）を受信すると（２６１１）、制御Ｃｈ変調部２０４は、ハンドオフ要求を含むＲ−ＲＥＱＣＨの送信が成功したと判断し、次のＲ−ＲＥＱＣＨ送信周期で（２６０２、２６０３）通信先基地局をＢＴＳ２に指定したＲ−ＲＥＱＣＨ（２６０４）の送信電力を（数１９）式に戻し（２５２５、２６０５）、アンテナ２０１、ＲＦ部２０２を通して送信する（２５１１、２６０６）。また、次のハンドオフのために、送信回数、または時間経過に対応する変数を初期値に戻す（２６１２）。
【手続補正１７】
【補正対象書類名】明細書
【補正対象項目名】００６３
【補正方法】変更
【補正の内容】
【００６３】
【図１】本発明を適用する無線通信システムと、インターネットを含む通信網全体の構成を説明する図である。
【図２】本発明の一実施の形態における無線端末（ＡＴ）の構成を説明する図である。
【図３】本発明の一実施の形態における基地局の構成を説明する図である。
【図４】本発明の第一の実施の形態におけるＲ−ＣＱＩＣＨの電力制御アルゴリズムを説明する図である。
【図５】本発明の第一の実施の形態におけるＲ−ＣＱＩＣＨの電力制御アルゴリズムに対応するＡＴの動作のフローチャートである。
【図６】本発明の第一の実施の形態におけるＲ−ＣＱＩＣＨの電力制御アルゴリズムに対応する電力変化を説明する図である。
【図７】本発明の第一の実施の形態におけるＲ−ＲＥＱＣＨの電力制御アルゴリズムを説明する図である。
【図８】本発明の第一の実施の形態におけるＲ−ＲＥＱＣＨの電力制御アルゴリズムに対応するＡＴの動作のフローチャートである。
【図９】本発明の第一の実施の形態におけるＲ−ＲＥＱＣＨの電力制御アルゴリズムに対応する電力変化を説明する図である。
【図１０】本発明の第二の実施の形態におけるＲ−ＣＱＩＣＨの電力制御アルゴリズムを説明する図である。
【図１１】本発明の第二の実施の形態におけるＲ−ＣＱＩＣＨの電力制御アルゴリズムに対応するＡＴの動作のフローチャートである。
【図１２】本発明の第二の実施の形態におけるＲ−ＣＱＩＣＨの電力制御アルゴリズムに対応する電力変化を説明する図である。
【図１３】本発明の第二の実施の形態におけるＲ−ＲＥＱＣＨの電力制御アルゴリズムを説明する図である。
【図１４】本発明の第二の実施の形態におけるＲ−ＲＥＱＣＨの電力制御アルゴリズムに対応するＡＴの動作のフローチャートである。
【図１５】本発明の第二の実施の形態におけるＲ−ＲＥＱＣＨの電力制御アルゴリズムに対応する電力変化を説明する図である。
【図１６】本発明の第三の実施の形態におけるＲ−ＣＱＩＣＨの電力制御アルゴリズムを説明する図である。
【図１７】本発明の第三の実施の形態におけるＲ−ＣＱＩＣＨの電力制御アルゴリズムに対応するＡＴの動作のフローチャートである。
【図１８】本発明の第三の実施の形態におけるＲ−ＣＱＩＣＨの電力制御アルゴリズムに対応する電力変化を説明する図である。
【図１９】本発明の第三の実施の形態におけるＲ−ＲＥＱＣＨの電力制御アルゴリズムを説明する図である。
【図２０】本発明の第三の実施の形態におけるＲ−ＲＥＱＣＨの電力制御アルゴリズムに対応するＡＴの動作のフローチャートである。
【図２１】本発明の第三の実施の形態におけるＲ−ＲＥＱＣＨの電力制御アルゴリズムに対応する電力変化を説明する図である。
【図２２】本発明の第四の実施の形態におけるＲ−ＣＱＩＣＨの電力制御アルゴリズムを説明する図である。
【図２３】本発明の第四の実施の形態におけるＲ−ＣＱＩＣＨの電力制御アルゴリズムに対応するＡＴの動作のフローチャートである。
【図２４】本発明の第四の実施の形態におけるＲ−ＣＱＩＣＨの電力制御アルゴリズムに対応する電力変化を説明する図である。
【図２５】本発明の第四の実施の形態におけるＲ−ＲＥＱＣＨの電力制御アルゴリズムを説明する図である。
【図２６】本発明の第四の実施の形態におけるＲ−ＲＥＱＣＨの電力制御アルゴリズムに対応するＡＴの動作のフローチャートである。
【図２７】本発明の第四の実施の形態におけるＲ−ＲＥＱＣＨの電力制御アルゴリズムに対応する電力変化を説明する図である。
【手続補正１８】
【補正対象書類名】図面
【補正対象項目名】図１１
【補正方法】変更
【補正の内容】
【図１１】
2009094612.tif 000001
【手続補正１９】
【補正対象書類名】図面
【補正対象項目名】図１７
【補正方法】変更
【補正の内容】
【図１７】
2009094612.tif 000002
【手続補正２０】
【補正対象書類名】図面
【補正対象項目名】図２０
【補正方法】変更
【補正の内容】
【図２０】
2009094612.tif 000003
【手続補正２１】
【補正対象書類名】図面
【補正対象項目名】図２３
【補正方法】変更
【補正の内容】
【図２３】
2009094612.tif 000004
【手続補正２２】
【補正対象書類名】図面
【補正対象項目名】図２５
【補正方法】変更
【補正の内容】
【図２５】
2009094612.tif 000005
【手続補正２３】
【補正対象書類名】図面
【補正対象項目名】図２６
【補正方法】変更
【補正の内容】
【図２６】
2009094612.tif 000006